(57)【要約】【課題】袋の開口端付近にジッパーを設ける作業の度に雄型のジッパーテープと雌型のジッパーテープとの間にヒートシール防止用のセパレートプレートを挿入するなどの作業を不要とし、作業性の向上を図る。【解決手段】袋１の開口端付近において表側および裏側の各シート部１１，１２の内面に雄型のジッパーテープ１４と雌型のジッパーテープ１５をヒートシールにて接合させてなるジッパー付き包装袋において、雄型のジッパーテープ１４と雌型のジッパーテープ１５を互いに異質の合成樹脂材料で構成した。【選択図】        図２
2004155458.tif 000002
【特許請求の範囲】
【請求項１】
袋の開口端付近において表側および裏側または裏側および表側の各シート部の内面に雄型のジッパーテープと雌型のジッパーテープをヒートシールにて接合させてなるジッパー付き包装袋において、雄型のジッパーテープと雌型のジッパーテープを互いに異質の合成樹脂材料で構成してなることを特徴とするジッパー付き包装袋。
【請求項２】
袋のシート部の内面に対向するジッパーテープの面にホットメルト型接着樹脂層が形成されていることを特徴とする請求項１記載のジッパー付き包装袋。
【発明の詳細な説明】
【０００１】
【発明の属する技術分野】
本発明は、ジッパー付き包装袋に関するものである。
【０００２】
【従来の技術】
従来のこの種ジッパー付き包装袋としては例えば実用新案登録第２５５７２５６号公報などで知られているものがある。即ち、袋の開口端付近における対向位置に雌雄係合する開閉可能なジッパーを一体的に設けたものが古くから知られている。
【０００３】
前記袋の材料ならびにジッパーは共に合成樹脂製であり、袋の開口端付近にジッパーを一体的に設ける場合は、従来では図４に示すように袋の表側および裏側の各シート部１，２の開口端付近内面に雄型のジッパーテープ３と雌型のジッパーテープ４をそれぞれ当てがい、袋のシート部１，２のジッパー配設位置を外側からシールヘッド５，５で挟み付けて雄型のジッパーテープ３をシート部１に、雌型のジッパーテープ４をシート部２にそれぞれヒートシールにて接合させている。このようなヒートシール作業時に雄型のジッパーテープ３と雌型のジッパーテープ４が互いに融着しないように従来では雄型のジッパーテープ３と雌型のジッパーテープ４との間にヒートシール防止用のセパレートプレート６を介在させるなどしているのが現状である。
【０００４】
【特許文献１】
実用新案登録第２５５７２５６号公報
【０００５】
【発明が解決しようとする課題】
しかしながら、袋の開口端付近にジッパーを設ける作業の度に雄型のジッパーテープ３と雌型のジッパーテープ４との間にヒートシール防止用のセパレートプレート６を挿入するなどの作業が非常に手間で、作業効率が悪いという問題があった。
【０００６】
本発明はこのような課題を解決するもので、袋の開口端付近にジッパーを設ける作業の度に雄型のジッパーテープと雌型のジッパーテープとの間にヒートシール防止用のセパレートプレートを挿入するなどの作業を不要とし、作業性の向上を図ることを目的とするものである。
【０００７】
【課題を解決するための手段】
この課題を解決するために本発明は、袋の開口端付近において表側および裏側または裏側および表側の各シート部の内面に雄型のジッパーテープと雌型のジッパーテープをヒートシールにて接合させてなるジッパー付き包装袋において、雄型のジッパーテープと雌型のジッパーテープを互いに異質の合成樹脂材料で構成してなることを要旨とするものである。また本発明は、袋のシート部の内面に対向するジッパーテープの面にホットメルト型接着樹脂層が形成されていることを要旨とするものである。
【０００８】
この構成により、雄型のジッパーテープと雌型のジッパーテープを互いに異質の材料で構成してあるので、両ジッパーテープ間にヒートシール防止用のセパレートプレートを挿入しなくても両ジッパーテープ間は完全密着とはならず、両ジッパーテープを開いて包装袋を開けるときに両ジッパーテープ同士の付着部を指で簡単に剥離させることができることになる。
【０００９】
【発明の実施の形態】
以下、本発明の一実施の形態について、図面に基づいて説明する。
図１〜図３において、１１は四方シールタイプの包装袋で、この包装袋１１の開口端付近において表側および裏側（または裏側および表側）の各シート部１２，１３の内面に雄型のジッパーテープ１４と雌型のジッパーテープ１５をヒートシールにて接合させることにより一体的に設けている。
【００１０】
前記包装袋１１を構成するシート部１２，１３は外層１２ａ，１３ａがナイロンフィルム、内層１２ｂ，１３ｂがポリエチレンフィルムからなる２層構造であり、この包装袋１１の開口端付近における各シート部１２，１３の内面に接合される雄型のジッパーテープ１４と雌型のジッパーテープ１５は次に述べるような材料で作られている。
【００１１】
例えば、雄型のジッパーテープ１４の材料をＡ、雌型のジッパーテープ１５の材料をＢとし、Ａがポリプロピレン系、Ｂがポリエチレン系の材料とすると、ＡとＢをヒートシールにて例えば１８０度の温度で、シール時間一秒、シール圧２０Ｎ／ｃｍ２で接合させたときのヒートシール強度は約０．５Ｎ／１５ｍｍ〜３．０Ｎ／１５ｍｍと非常に小さいことが実験により判明した。また、前記各シート部１２，１３の内層１２ｂ，１３ｂに対向する雄型のジッパーテープ１４の材料であるＡおよび雌型のジッパーテープ１５の材料であるＢの面にはそれぞれ共押し出しによりホットメルト型接着樹脂層１６および１７が形成されている。
【００１２】
図２にシート部１２の内面に雄型のジッパーテープ１４を、シート部１３の内面に雌型のジッパーテープ１５をヒートシールにて接合させる状態を示しており、ジッパー配設位置における上下両端部を外側からシールヘッド１８，１８で挟み付けて雄型のジッパーテープ１４をシート部１２に、雌型のジッパーテープ１５をシート部１３にそれぞれホットメルト型接着樹脂層１６および１７を介してヒートシールにて接合させている。ホットメルト型接着樹脂は加熱されることによりポリプロピレン系の樹脂およびポリエチレン系の樹脂に対して接着する性質を有し、ポリプロピレン系の樹脂およびポリエチレン系の樹脂に対するヒートシール強度は５Ｎ／１５ｍｍ以上である。また、同図に示すように雄型のジッパーテープ１４と雌型のジッパーテープ１５との間に前述した従来例のようなヒートシール防止用のセパレートプレートを挿入しておらず、前記材料Ａ，Ｂ間は手で簡単に剥離できる程度の小さなヒートシール強度で接合されるに留まる。
【００１３】
なお、雄型のジッパーテープ１４と雌型のジッパーテープ１５の噛み合い部１９に熱を掛けると変形してしまうので、ジッパー配設位置における上下両端部のみを外側からシールヘッド１８，１８で挟み付けてヒートシールしている。
【００１４】
ところで、前記ホットメルト型接着樹脂としては種々のものが知られているが、本実施の形態では例えばヒロダイン（株）製のエチレン・酢酸ビニル共重合体を主成分とするエチレン・エチルアクリレート共重合体と石油樹脂、テレピン樹脂およびロジン系樹脂からなる群から選ばれた少なくとも一種の樹脂からなる樹脂組成物で形成されたものや、三菱化学（株）製のＶＭＸ（登録商標）で知られるポリオレフィンを主成分とし、ラジカル重合性モノマーでグラフト変性されたポリオレフィン樹脂に非晶性ビニルポリマーを均質に含有する多成分系ポリマーと、分散相をポリオレフィンにスチレンを分散したものをポリマーアロイした樹脂を用いている。
【００１５】
また、上記した実施の形態では雄型のジッパーテープ１４の材料をポリプロピレン系の樹脂、雌型のジッパーテープ１５の材料をポリエチレン系の樹脂としているが、逆であっても良い。
【００１６】
また、ポリエチレン系の樹脂で作られる側のジッパーテープには上記のホットメルト型接着樹脂層を特に設けなくても、包装袋１１を構成する何れかのシート部１２，１３の内層１２ｂ，１３ｂのポリエチレンフィルムとのヒートシール性を確保することができる。
【００１７】
なお、雄型のジッパーテープ１４の材料をポリプロピレン系の樹脂、雌型のジッパーテープ１５の材料をポリエチレン系の樹脂とせずに、雄型のジッパーテープ１４の材料をポリエチレンテレフタレート、雌型のジッパーテープ１５の材料をナイロンとするなど、他の樹脂を用いてジッパーテープ１４，１５を構成するようにしても良い。
【００１８】
また、上記した実施の形態では包装袋１１は四方シールタイプの袋であるが、ガゼットタイプ、合掌タイプ、スタンドパックタイプなどの袋にも適用できるものである。
【００１９】
また、包装袋１１の開口端付近に設けられる雄型のジッパーテープ１４と雌型のジッパーテープ１５とからなるジッパーの長さは包装袋１１の開口部両端よりやや短めに設定されている。
【００２０】
さらに、上記した実施の形態ではジッパーにはスライダーが設けられていないが、スライダー付きのジッパーにも実施できることは言うまでもない。
以上のように包装袋１１を構成するシート部１２，１３の内面に雄型のジッパーテープ１４と雌型のジッパーテープ１５がヒートシールにて接合されるとき、ヒートシール位置において両ジッパーテープ１４，１５間にヒートシール防止用のセパレートプレートを挿入していないので両ジッパーテープ１４，１５同士が合わさり付着した状態となるが、両ジッパーテープ１４，１５を構成する材料が互いに異質のものであるので、両ジッパーテープ１４，１５間のヒートシール強度は非常に小さく、両ジッパーテープ１４，１５を開いて包装袋１１を開けるときに両ジッパーテープ１４，１５同士の付着部を指で簡単に剥離させることができる。即ち、本実施の形態では両ジッパーテープ１４，１５間にヒートシール防止用のセパレートプレートを挿入する必要がなく、作業性の向上を図ることができる。特に、本発明の構成をセパレートプレートの挿入できないガゼットタイプの袋に対するジッパーテープの装着に採用すると効果を発揮する。
【００２１】
さらに、前記実施の形態では包装袋１１は外層１２ａ，１３ａがナイロンフィルム、内層１２ｂ，１３ｂがポリエチレンフィルムからなる２層構造のシート部１２，１３によって作られた合成樹脂製のものであるが、その材料は特に限定されるものではない。つまり、包装袋１１の材料は少なくとも内層がヒートシールの必要性からポリエチレンフィルムやポリプロピレンフィルムなどの合成樹脂フィルムで作られたものであれば、その内層に積層される材料は合成樹脂以外のものでも良い。
【００２２】
【発明の効果】
以上のように本発明によれば、雄型のジッパーテープと雌型のジッパーテープを互いに異質の材料で構成してあるので、両ジッパーテープ間にヒートシール防止用のセパレートプレートを挿入しなくても両ジッパーテープ間は完全密着とはならず、両ジッパーテープを開いて包装袋を開けるときに両ジッパーテープ同士の付着部を指で簡単に剥離させることができることになる。
【図面の簡単な説明】
【図１】本発明の一実施の形態におけるジッパー付き包装袋の斜視図である。
【図２】同ジッパー付き包装袋のジッパーテープヒートシール時の状態を示す要部拡大断面図である。
【図３】同ジッパー付き包装袋を開けるときの状態を示す要部拡大断面図である。
【図４】従来例におけるジッパー付き包装袋のジッパーテープヒートシール時の状態を示す要部拡大断面図である。
【符号の説明】
１１              包装袋
１２，１３        シート部
１２ａ，１３ａ    外層
１２ｂ，１３ｂ    内層
１４              雄型のジッパーテープ
１５              雌型のジッパーテープ
１６，１７        ホットメルト型接着樹脂層
１８              シールヘッド
１９              噛み合い部
【図１】
2004155458.tif 000003
【図２】
2004155458.tif 000004
【図３】
2004155458.tif 000005
【図４】
2004155458.tif 000006